(57)【要約】【課題】  展開状態で搬送が可能、組立てが容易、強度が強い、デザイン性に優れるといった要求を同時に満足する板紙製多角筒体および板紙製多角筒体用展開板紙を提供する。【解決手段】  上面板紙部１１と下面板紙部１２とが、平面視したときに各頂点と各辺とが完全に重なり合う、一辺ａの正五角形をなし、側面板紙部１３は、横開きに展開した状態で、ａ×５の横幅をもつ長方形をなし、１本の横方向の谷折ラインにより同一構成の２つの帯状領域１３１，１３２に均等に分割される。各帯状領域は、斜辺が山折ラインとなる、前記帯状領域の上辺が二等辺三角形の底辺に一致する底辺長さａの五個の前記二等辺三角形と、五個の二等辺三角形と斜辺を共通にし底辺が前記帯状領域の下辺に一致する底辺長さａの五個の二等辺三角形とからなる。【選択図】    図３
2018157842.tif 000002
【特許請求の範囲】
【請求項１】
上面板紙部と下面板紙部と側面板紙部からなる板紙製多角筒体であって、
上面板紙部と下面板紙部とが、平面視したときに各頂点と各辺とが完全に重なり合う、一辺ａの正Ｎ角形を（Ｎは３以上の正の整数）なし、
側面板紙部は、
横開きに展開した状態で、ａ×Ｎの横幅をもつ長方形をなし、
２Ｍ−１本（Ｍは正の整数）の横方向の谷折ラインにより同一構成の２Ｍの帯状領域に均等に分割され、
前記各帯状領域は、斜辺が山折ラインとなる、
前記帯状領域の上辺が二等辺三角形の底辺に一致する底辺長さａのＮ個の前記二等辺三角形と、
これらＮ個の二等辺三角形と斜辺を共通にし底辺が前記帯状領域の下辺に一致する底辺長さａのＮ個の二等辺三角形と、
からなり、
最上の前記帯状領域の上辺に底辺が一致するＮ個の二等辺三角形の当該底辺が、Ｎ角形をなす前記上面板紙部のＮ個の辺に一致し、
最下の前記帯状領域の下辺に底辺が一致するＮ個の二等辺三角形の当該底辺が、Ｎ角形をなす前記下面板紙部のＮ個の辺に一致し、
前記山折ラインが山折になり、前記谷折ラインが谷折になるように折られ、前記側面板紙部が両側端を接続して管状に閉じられている、
板紙製多角筒体。
【請求項２】
請求項１に記載の板紙製多角筒体であって、
前記上面板紙部は、
前記側面板紙部の両側端を突き合わせて管状に閉じた状態で底辺が前記最上の帯状領域の上辺の前記二等辺三角形の底辺に一致する、高さ（ａ／２）×ｃｏｔ（π／Ｎ）のＮ個の二等辺三角形素片、または前記二等辺三角形素片の上部を切り取った高さｂの台形により構成され、
前記二等辺三角形素片または前記台形の底辺と前記最上の帯状領域の上辺の下向きの二等辺三角形の底辺とが一致するように形成され、かつ、
前記二等辺三角形素片またはの底辺と、前記前記最上の帯状領域の上辺の前記二等辺三角形または前記台形の底辺との境界が山折ラインを形成し、
前記下面板紙部は、
前記側面板紙部の両側端を突き合わせて管状に閉じた状態で底辺が前記最下の帯状領域の下辺の前記二等辺三角形の底辺に一致する、高さ（ａ／２）×ｃｏｔ（π／Ｎ）のＮ個の二等辺三角形素片、または前記二等辺三角形素片の上部を切り取った高さｂの台形により構成され、
前記二等辺三角形素片または前記台形の底辺と、前記最下の帯状領域の下辺の上向き二等辺三角形の底辺とが一致するように形成され、かつ、
前記二等辺三角形素片または前記台形の底辺が前記側面板紙部の上向きの前記二等辺三角形の底辺との境界が山折ラインを形成するように形成され、
前記上面板紙部および前記下面板紙部は、前記二等辺三角形素片または前記台形の底辺が全体が平面となるように構成される、
板紙製多角筒体。
【請求項３】
請求項１または２に記載の板紙製多角筒体であって、
板紙製多角筒体内部に、補強板紙部からなる構造部材を有し、
前記構造部材は、
前記上面板紙部の内側に配置された上部補強板紙部、
前記下面板紙部の内側に配置された下部補強板紙部、
前記側面板紙部の横方向の２Ｍ−１の谷折ライン部分の内側にそれぞれ配置された中間部補強板紙、
および、
前記上面板紙部の各頂点と前記下面板紙部の各頂点との間、および／または前記上面板紙部の辺と前記下面板紙部の各辺の中点との間に鉛直方向に連結し、かつ、側面板紙部側の端部が当該側面板紙部に垂直に当接する連結補強板紙部、
からなる、
板紙製多角筒体。
【請求項４】
請求項１から請求項３の何れか１項に記載の板紙製多角筒体の展開板紙であって、
前記側面板紙部と前記上面板紙部と前記下面板紙部とを有する板紙製多角筒体用展開板紙。
【請求項５】
請求項４に記載の展開板紙であって、
さらに、前記上部補強板紙部、前記下部補強板紙部および２Ｍ−１の前記中間部補強板紙部を展開した補強板紙部群を有する板紙製多角筒体用展開板紙。
【発明の詳細な説明】
【技術分野】
【０００１】
本発明は、展開状態で搬送が可能、組立てが容易、強度が強い、デザイン性に優れる、といった要求を同時に満足する板紙製多角筒体および板紙製多角筒体用展開板紙に関する。
【背景技術】
【０００２】
従来、紙製の組立式簡易椅子が種々知られている（特許文献１，特許文献２等参照）。
【先行技術文献】
【特許文献】
【０００３】
【特許文献１】特開２００６−１９８２８９
【特許文献２】特開２００４−８９４２２
【発明の概要】
【発明が解決しようとする課題】
【０００４】
しかし、（１）展開状態で搬送が可能、（２）組立てが容易、（３）強度が強い、（４）デザイン性に優れる、といった要求を同時に満足する板紙製多角筒体および板紙製多角筒体用展開板紙は提供されていない。
本発明は、上記要求を満たす板紙製多角筒体および板紙製多角筒体用展開板紙を提供することを目的とする。
【課題を解決するための手段】
【０００５】
本発明の板紙製多角筒体は、典型的には椅子，テーブル，台等として使用されるもので以下を要旨とする。
（１）
上面板紙部と下面板紙部と側面板紙部からなる板紙製多角筒体であって、
上面板紙部と下面板紙部とが、平面視したときに各頂点と各辺とが完全に重なり合う、一辺ａの正Ｎ角形を（Ｎは３以上の正の整数）なし、
側面板紙部は、
横開きに展開した状態で、ａ×Ｎの横幅をもつ長方形をなし、
２Ｍ−１本（Ｍは正の整数）の横方向の谷折ラインにより同一構成の２Ｍの帯状領域に均等に分割され、
前記各帯状領域は、斜辺が山折ラインとなる、
前記帯状領域の上辺が二等辺三角形の底辺に一致する底辺長さａのＮ個の前記二等辺三角形と、
これらＮ個の二等辺三角形と斜辺を共通にし底辺が前記帯状領域の下辺に一致する底辺長さａのＮ個の二等辺三角形と、
からなり、
最上の前記帯状領域の上辺に底辺が一致するＮ個の二等辺三角形の当該底辺が、Ｎ角形をなす前記上面板紙部のＮ個の辺に一致し、
最下の前記帯状領域の下辺に底辺が一致するＮ個の二等辺三角形の当該底辺が、Ｎ角形をなす前記下面板紙部のＮ個の辺に一致し、
前記山折ラインが山折になり、前記谷折ラインが谷折になるように折られ、前記側面板紙部が両側端を接続して管状に閉じられている、
板紙製多角筒体。
【０００６】
（２）
（１）に記載の板紙製多角筒体であって、
前記上面板紙部は、
前記側面板紙部の両側端を突き合わせて管状に閉じた状態で底辺が前記最上の帯状領域の上辺の前記二等辺三角形の底辺に一致する、高さ（ａ／２）×ｃｏｔ（π／Ｎ）のＮ個の二等辺三角形素片、または前記二等辺三角形素片の上部を切り取った高さｂの台形により構成され、
前記二等辺三角形素片または前記台形の底辺と前記最上の帯状領域の上辺の下向きの二等辺三角形の底辺とが一致するように形成され、かつ、
前記二等辺三角形素片またはの底辺と、前記前記最上の帯状領域の上辺の前記二等辺三角形または前記台形の底辺との境界が山折ラインを形成し、
前記下面板紙部は、
前記側面板紙部の両側端を突き合わせて管状に閉じた状態で底辺が前記最下の帯状領域の下辺の前記二等辺三角形の底辺に一致する、高さ（ａ／２）×ｃｏｔ（π／Ｎ）のＮ個の二等辺三角形素片、または前記二等辺三角形素片の上部を切り取った高さｂの台形により構成され、
前記二等辺三角形素片または前記台形の底辺と、前記最下の帯状領域の下辺の上向き二等辺三角形の底辺とが一致するように形成され、かつ、
前記二等辺三角形素片または前記台形の底辺が前記側面板紙部の上向きの前記二等辺三角形の底辺との境界が山折ラインを形成するように形成され、
前記上面板紙部および前記下面板紙部は、前記二等辺三角形素片または前記台形の底辺が全体が平面となるように構成される、
板紙製多角筒体。
【０００７】
（３）
（１）または（２）に記載の板紙製多角筒体であって、
板紙製多角筒体内部に、補強板紙部からなる構造部材を有し、
前記構造部材は、
前記上面板紙部の内側に配置された上部補強板紙部、
前記下面板紙部の内側に配置された下部補強板紙部、
前記側面板紙部の横方向の２Ｍ−１の谷折ライン部分の内側にそれぞれ配置された中間部補強板紙、
および、
前記上面板紙部の各頂点と前記下面板紙部の各頂点との間、および／または前記上面板紙部の辺と前記下面板紙部の各辺の中点との間に鉛直方向に連結し、かつ、側面板紙部側の端部が当該側面板紙部に垂直に当接する連結補強板紙部、
からなる、
板紙製多角筒体。
【０００８】
（４）
（１）−（３）の何れか１項に記載の板紙製多角筒体の展開板紙であって、
前記側面板紙部と前記上面板紙部と前記下面板紙部とを有する板紙製多角筒体用展開板紙。
【０００９】
（５）
（４）に記載の展開板紙であって、
さらに、前記上部補強板紙部、前記下部補強板紙部および２Ｍ−１の前記中間部補強板紙部を展開した補強板紙部群を有する板紙製多角筒体用展開板紙。
【発明の効果】
【００１０】
本発明により、（１）展開状態で搬送が可能、（２）組立てが容易、（３）強度が強い、（４）デザイン性に優れる、といった条件を同時に満足する板紙製多角筒体および板紙製多角筒体用展開板紙が提供される。
【図面の簡単な説明】
【００１１】
【図１】図１は平面視五角形、側面の帯状領域が２段の本発明の板紙製多角筒体の展開図である。
【図２】図２は図１の板紙製多角筒体の内部に設けられる補強板紙部からなる構造部材を示す図である。
【図３】図３（Ａ）−（Ｄ）は図１に示した展開図を組み立てた本発明の板紙製多角筒体を示す写真である。
【図４】図４は図１に示した展開図を組み立てた本発明の板紙製多角筒体（図３に示す板紙製多角筒体）を示す六面図である。
【図５】図５は平面視五角形、側面の帯状領域が４段の本発明の板紙製多角筒体を示す六面図である。
【図６】図６は平面視六角形、側面の帯状領域が２段の本発明の板紙製多角筒体を示す六面図である。
【図７】図６は平面視六角形、側面の帯状領域が４段の本発明の板紙製多角筒体を示す六面図である。
【図８】図８（Ａ）−（Ｄ）は図１に示した展開図を組み立てた本発明の板紙製多角筒体を示す写真である。
【図９】図９は、上面板紙部が紙部と井草部とを組み合わせて構成された板紙製多角筒体の説明図である。
【発明を実施するための最良の形態】
【００１２】
図１は、平面視五角形、側面板紙部が２段の本発明の板紙製五角筒体の展開板紙である。
図１において、展開板紙部１は上面板紙部１１と下面板紙部１２と側面板紙部１３からなる。
上面板紙部１１と下面板紙部１２とが、平面視したときに各頂点と各辺とが完全に重なり合う、一辺ａの正Ｎ角形を（Ｎは３以上の正の整数）なす。
【００１３】
側面板紙部１３は、横開きに展開した状態で、ａ×５の横幅をもつ長方形をなし、１本の横方向の谷折ラインＡにより同一構成の２つの帯状領域１３１，１３２に均等に分割される。
【００１４】
帯状領域１３１，１３２は、斜辺が山折ラインＢとなる、上辺が底辺に一致する底辺長さａの５個の二等辺三角形と、これら５個の二等辺三角形と斜辺を共通にし底辺が帯状領域の下辺に一致する底辺長さａの５個の二等辺三角形とからなる。
【００１５】
帯状領域１３１の上辺に底辺が一致する５個の二等辺三角形の当該底辺は、五角形をなす上面板紙部１１の５個の辺に一致し、帯状領域１３２の下辺に底辺が一致する５個の二等辺三角形の当該底辺が、五角形をなす下面板紙部１２の５個の辺に一致する。
そして、側面板紙部１３は、山折ラインＢが山折になり、谷折ラインＡが谷折になるように折られ、両側端を接続して管状に閉じられている。
【００１６】
図１において、上面板紙部１１は、側面板紙部１３の両側端を突き合わせて管状に閉じた状態で、底辺が帯状領域１３１の上辺の二等辺三角形の底辺に一致する、高さ（ａ／２）×ｃｏｔ（π／５）の５個の二等辺三角形素片１１１−１１５により構成されている。
【００１７】
二等辺三角形素片１１１−１１５の底辺と帯状領域１３１の下向き二等辺三角形の底辺とが一致するように形成され、かつ二等辺三角形素片１１１−１１５の底辺と、上面板紙部１３の二等辺三角形の底辺との境界が山折ラインを形成する。
【００１８】
図１において、下面板紙部１２は、側面板紙部１３の両側端を突き合わせて管状に閉じた状態で、底辺が帯状領域１３２の下辺の二等辺三角形の底辺に一致する、高さ（ａ／２）×ｃｏｔ（π／５）の５個の二等辺三角形素片１１１−１１５により構成されている。
【００１９】
二等辺三角形素片１１１−１１５の底辺は、帯状領域１３１上辺の下向きの二等辺三角形の底辺と一致するように形成されれ、かつ、二等辺三角形素片１１１−１１５の底辺と前記下向きの二等辺三角形の底辺との境界が山折ラインを形成するように形成される。
【００２０】
また、二等辺三角形素片１２１−１２５の底辺は、帯状領域１３２下辺の上向きの二等辺三角形の底辺と一致するように形成されれ、かつ、二等辺三角形素片１２１−１２５の底辺と前記上向きの二等辺三角形の底辺との境界が山折ラインを形成するように形成される。
【００２１】
上面板紙部１１は、二等辺三角形素片１１１−１１５の底辺が全体が平面となるように構成される。下面板紙部１２は、二等辺三角形素片１２１−１２５の底辺が全体が平面となるように構成される。
【００２２】
本発明の板紙製多角筒体は、板紙製多角筒体内部に、補強板紙部からなる構造部材２を有する。
構造部材２は、図２に示すように上面板紙部１１の内側に配置された上部補強板紙部２１（図２（Ａ）参照）、下面板紙部１２の内側に配置された下部補強板紙部２２（図２（Ｂ）参照）、側面板紙部１３の横方向の谷折ラインＡ部分の内側に配置された中間部補強板紙２３（図２（Ｃ）参照）を備える。
【００２３】
また、構造部材２は、上面板紙部１１の各頂点と下面板紙部１２の各頂点との間に鉛直方向に連結する連結補強板紙部２４１−２４５（図２（Ｄ）参照）を備える。また、構造部材２は、上面板紙部１１の辺と下面板紙部１２の各辺の中点との間に鉛直方向に連結し、かつ、側面板紙部１３側の端部が側面板紙部１３に垂直に当接する連結補強板紙部２５１−２５５（図２（Ｅ）参照）を備える。
【００２４】
なお、図２（Ｄ）および図２（Ｅ）では、各図左側の素材を折り曲げて右側の連結補強板紙部（２４１−２４５，連結補強板紙部２５１−２５５）を作成している。
さらに、構造部材２は、上面板紙部１１を補強するための上面補強板紙片２６１−２６５および／または下面板紙部１２を補強するための下面補強板紙片２７１−２７５を備えることができる（図２（Ｆ）参照）。
【００２５】
図３（Ａ）−（Ｃ）は、図１の展開板紙部１を組み立てて作成した板紙製多角筒体５１の斜視写真であり、図３（Ｄ）は同じく板紙製多角筒体５１の平面写真である。
【００２６】
図４に、板紙製多角筒体５１の六面図を示す。
【００２７】
図５に、平面視五角形、側面板紙部が４段の本発明の板紙製五角筒体５２の六面図を示す。
【００２８】
図６に、平面視六角形、側面板紙部が２段の本発明の板紙製六角筒体５３の六面図を示す。
【００２９】
図７に、平面視六角形、側面板紙部が４段の本発明の板紙製六角筒体５４の六面図を示す。
【００３０】
図８（Ａ）−（Ｃ）は、図７の側面板紙部が４段の板紙製六角筒体５４の斜視写真であり、図３（Ｄ）は同じく板紙製多角筒体５４の平面写真である。
【００３１】
なお、本発明では、図９に示すように、板紙製多角筒体（図９では符号５１で示す）の上面板紙部５１１を紙と紙以外の素材を組み合わせて構成することができる。
図９では、上面板紙部５１１は紙部５１１１と井草部５１１２とを組み合わせて構成してある。
【００３２】
本発明の板紙製多角筒体では、側面板紙部を二等辺三角形の格子により構成し、各三角形の斜辺が山折りとし、二等辺三角形の底辺同士共通にする当該底辺を側面板紙部同士の境界を谷折りとした。
これにより、上下方向の力は、山折り部分で外側に分散し、谷折り部分で内側に分散することになり、板紙製多角筒体の上下方向の強度が強化される。
【符号の説明】
【００３３】
１  展開板紙部
２  構造部材
１１  上面板紙部
１２  下面板紙部
１３  側面板紙部
２１  上部補強板紙部
２２  下部補強板紙部
２３  中間部補強板紙
１３１，１３２  帯状領域
１１１−１１５，１２１−１２５  二等辺三角形素片
２４１−２４５，２５１−２５５  連結補強板紙部
２６１−２６５  上面補強板紙片
２７１−２７５  下面補強板紙片
【図１】
2018157842.tif 000003
【図２】
2018157842.tif 000004
【図３】
2018157842.tif 000005
【図４】
2018157842.tif 000006
【図５】
2018157842.tif 000007
【図６】
2018157842.tif 000008
【図７】
2018157842.tif 000009
【図８】
2018157842.tif 000010
【図９】
2018157842.tif 000011